(57)【要約】  【課題】  シンプルな構造でありながら油圧シリンダが上方へ突出しないようにコンパクトに構成して周囲の景観が損なわれないように配慮すると共に、据え付け作業を容易なものとしたスライドゲート装置を提供する。  【解決手段】  ゲート扉３の両側端を支持してゲート扉３の昇降をガイドする一対の溝付支柱５を対向して立設し、各溝付支柱５の下端部同士を底板６にて連結して、水路Ａ内壁に合致するように略Ｕ字形状のゲート枠２を形成する。また、ゲート枠２にゲート扉３を昇降自在に備えると共に、ゲート扉３を昇降させる一対の油圧シリンダ４をそれぞれ溝付支柱５の溝７内に収まるように溝７下位の底板６上へ溝７に沿わせて上向きに立設し、ゲート枠２とゲート扉３、及び油圧シリンダ４を一体的に組み上げた状態で水路Ａへ設置可能なように構成する。【選択図】  図１
2005213960.tif 000002
【特許請求の範囲】
【請求項１】
水路を流下する水流を昇降自在なゲート扉にてせき止めるスライドゲート装置であって、ゲート扉の両側端を支持してゲート扉の昇降をガイドする一対の溝付支柱を対向して立設し、各溝付支柱の下端部同士を全閉時のゲート扉底部を支持する底板にて連結して水路内壁に合致するように略Ｕ字形状のゲート枠を形成し、該ゲート枠に前記ゲート扉を昇降自在に備えると共に、該ゲート扉を昇降させる一対の油圧シリンダをそれぞれゲート枠の溝付支柱の溝内に収まるように溝下位の底板上へ溝に沿わせて上向きに立設し、ゲート枠とゲート扉、及び油圧シリンダを一体的に組み上げた状態で水路へ設置可能なように構成したことを特徴とするスライドゲート装置。
【発明の詳細な説明】
【技術分野】
【０００１】
本発明は、水路を流下する水流を昇降自在なゲート扉でせき止めて取水や防水などを行うスライドゲート装置に関する。
【背景技術】
【０００２】
従来より、河川や水路などには、農業用水などの取水用、或いは増水時における防水用などとして様々なゲート装置を設置しており、これらゲート装置の一つとして、昇降自在なゲート扉にて適宜水流をせき止めるようにしたスライドゲート装置がある。前記スライドゲート装置は、一般に、水路内の両側壁にゲート扉の両側端を支持してゲート扉の昇降をガイドする一対の溝付支柱を対向して設置し、各溝付支柱間の上位に基台を架設すると共に、該基台上には油圧シリンダを下向きに立設し、該油圧シリンダのピストンロッド先端部を溝付支柱に昇降自在に支持させたゲート扉に連結して吊り下げ、ピストンロッドの伸縮に応じてゲート扉を溝付支柱に沿って昇降させるようにしたものである。
【０００３】
ところで、前記スライドゲート装置においては、ゲート扉の上位に基台を架設し、更にその上部へ油圧シリンダを立設した構造であるため、どうしても装置サイズが大型化し、特に油圧シリンダが上方へ大きく突出してしまい、周囲の景観が損なわれるといった問題があった。また、溝付支柱やゲート扉、及び油圧シリンダなどは、据え付け現場にてゲート扉の水密度の調整などを行いながら徐々に組み上げていく構成であるため、作業性も悪く据え付けに長時間を要していた。
【０００４】
一方、油圧シリンダのピストンロッドのストロークをゲート扉の揚程の略半分に抑えるように工夫し、油圧シリンダを上方へ大きく突出させずに周囲の景観を向上させるように図ったスライドゲート装置が提案されている（特許文献１）。
【特許文献１】特開平１０−８４４４号公報
【発明の開示】
【発明が解決しようとする課題】
【０００５】
しかしながら、上記のスライドゲート装置では、ゲート扉昇降用以外にも別途小型の油圧シリンダを要し、かつ装置構造も複雑であるため、装置コストが高くなってしまうと共に、据え付け時の手間もかかる。また、程度の差こそあれ上方に油圧シリンダが突出していることに依然変わりはなく、なお改良の余地がある。また、このスライドゲート装置においても、据え付けは従来装置と同様の作業を要するため、やはり作業性が悪く据え付けに長時間を要すると予想される。
【０００６】
本発明は上記の点に鑑み、シンプルな構造でありながら油圧シリンダが上方へ突出しないようにコンパクトに構成して周囲の景観が損なわれないように配慮すると共に、据え付け作業を容易なものとしたスライドゲート装置を提供することを課題とする。
【課題を解決するための手段】
【０００７】
上記の課題を解決するために、本発明のスライドゲート装置にあっては、水路を流下する水流を昇降自在なゲート扉にてせき止めるスライドゲート装置であって、ゲート扉の両側端を支持してゲート扉の昇降をガイドする一対の溝付支柱を対向して立設し、各溝付支柱の下端部同士を全閉時のゲート扉底部を支持する底板にて連結して水路内壁に合致するように略Ｕ字形状のゲート枠を形成し、該ゲート枠に前記ゲート扉を昇降自在に備えると共に、該ゲート扉を昇降させる一対の油圧シリンダをそれぞれゲート枠の溝付支柱の溝内に収まるように溝下位の底板上へ溝に沿わせて上向きに立設し、ゲート枠とゲート扉、及び油圧シリンダを一体的に組み上げた状態で水路へ設置可能なように構成したことを特徴としている。
【発明の効果】
【０００８】
本発明に係る取水ゲート装置によれば、水路を流下する水流を昇降自在なゲート扉にてせき止めるスライドゲート装置であって、ゲート扉の両側端を支持してゲート扉の昇降をガイドする一対の溝付支柱を対向して立設し、各溝付支柱の下端部同士を全閉時のゲート扉底部を支持する底板にて連結して水路内壁に合致するように略Ｕ字形状のゲート枠を形成し、該ゲート枠に前記ゲート扉を昇降自在に備えると共に、該ゲート扉を昇降させる一対の油圧シリンダをそれぞれゲート枠の溝付支柱の溝内に収まるように溝下位の底板上へ溝に沿わせて上向きに立設し、ゲート枠とゲート扉、及び油圧シリンダを一体的に組み上げた状態で水路へ設置可能なように構成したので、シンプルな構造でありながらもゲート扉昇降用の油圧シリンダを上方へ突出させずに済み、装置サイズをコンパクトに抑えて、スライドゲート装置の設置現場周囲の景観が損なわれるのを極力防止できる。また、ゲート枠とゲート扉、及び油圧シリンダを工場などで一体的に組み上げて、水密度などを予め調整した状態で水路へ据え付けることができ、作業が容易で短時間に終えることができる。
【発明を実施するための最良の形態】
【０００９】
本発明に係るスライドゲート装置によれば、スライドゲート装置を水路内に据え付ける場合、先ず工場において、ゲート扉の昇降をガイドする一対の溝付支柱を対向して立設し、これら各溝付支柱の下端部同士を全閉時のゲート扉底部を支持する底板にて連結し、水路内壁に合致するように略Ｕ字形状のゲート枠を形成させる。そして、前記ゲート枠の溝付支柱へゲート扉の両側端を差し込んで昇降自在に配すると共に、該ゲート扉を昇降させる一対の油圧シリンダをそれぞれ溝付支柱の溝内に収まるように溝下位の底板上へ溝に沿わせて上向きに立設し、ゲート枠、ゲート扉、及び油圧シリンダを一体的に組み上げる。このとき、ゲート扉の水密度の調整なども同時に行っておく。なお、上記の通り、油圧シリンダは水路内に配されることになり、水没することとなるが何ら支障はない。そして、一体的に組み上げたスライドゲート装置をそのまま水路内へ設置すれば、据え付けは完了する。そして、このスライドゲート装置を操作して水路内を流下する水流を調節する場合には、油圧シリンダを短縮させればゲート扉が下降して水路が閉鎖されて水流がせき止められる一方、油圧シリンダを伸長させればゲート扉が上昇して水路が開放されて水流が流下していく。
【００１０】
このように、前記スライドゲート装置では、水没にも何ら問題のない油圧シリンダを水路内に配置されるゲート枠の溝付支柱の溝内に収まるように配しているため、油圧シリンダが水路上方に突出することがなくて装置サイズをコンパクトに抑えられ、スライドゲート装置を据え付けた現場周囲の環境が大きく損なわれるおそれはない。また、その構造もごくシンプルなものであり、コストを抑えられ、更に、ゲート枠とゲート扉、及び油圧シリンダを工場などで一体的に組み上げる構成としているため、ゲート扉の水密度の調整も工場にて予め行え、現場での据え付け作業が非常に容易で短時間に終えることができる。
【実施例】
【００１１】
以下、本発明の実施例を図面に基づいて説明する。
【００１２】
１は本発明のスライドゲート装置であって、ゲート枠２とゲート扉３、及び油圧シリンダ４を主体に構成しており、本図面では水路Ａにこのスライドゲート装置１を据え付けた状態を示している。なお、水路Ａは地下埋設型のものであるが、特にこれに限定するものではなく、上部が開放された通常の水路などにも採用できる。前記ゲート枠２は、ゲート扉３の両側端を支持してゲート扉３の昇降をガイドするための一対の溝付支柱５を対向して立設すると共に、これら各溝付支柱５の下端部同士を、全閉時のゲート扉３の底部を支持する底板６にて連結し、図中の水路Ａの内壁に合致するように略Ｕ字形状に形成した枠体である。
【００１３】
ここで、前記溝付支柱５は、例えばステンレスなどの防錆性の鋼板を折曲、接合などにより、図３に示すように、断面略凹字形状に加工して、ゲート扉３の両側端を支持するための溝７を鉛直方向に形成させた支柱であり、その周囲をコンクリート８によって補強している。また、前記底板６は、溝付支柱５と同様にステンレスなどの鋼板を加工して、全閉時のゲート扉３の底部を水密に支持可能なように上面を平面状とした板材であり、その周囲をコンクリート９によって補強している。
【００１４】
前記ゲート扉３は、やはりステンレスなどの鋼板を加工して、水路Ａ内を流下する水流の水圧にも耐えうるように形成した板材であって、その両側端を前記溝付支柱５の溝７へ差し込むことにより、溝付支柱５に沿って昇降自在としており、下降させたときには水路Ａが閉鎖される一方、上昇させたときには水路Ａが開放される構成としている。また、図３に示す１０はゲート扉３の位置決めと、昇降を円滑化するためのサイドローラであり、１１は溝付支柱５とゲート扉３間の水密を図るために固着した水密ゴムである。
【００１５】
また、ゲート扉３を溝付支柱５に沿って昇降させる一対の油圧シリンダ４を、それぞれ各溝付支柱５の溝７内に収まるように、ピストンロッド１２先端側を上方に向けて油圧シリンダ４の基端部を溝７下位の底板６上に備えたトラニオン金具１３にて揺動自在に取り付けて溝７に沿わせて立設していると共に、油圧シリンダ４のピストンロッド１２の先端部をゲート扉３の側端部上端に突設した係止片１４に軸着しており、ピストンロッド１２の伸縮に応じてゲート扉３を溝付支柱５に沿って昇降可能としている。なお、油圧シリンダ４は水路Ａ内に配されることによって水没することとなるが何ら支障はない。
【００１６】
このように、ゲート枠２とゲート扉３、及び油圧シリンダ４などは、工場などで全て一体的に組み上げられるユニット構造としている。
【００１７】
しかして、上記スライドゲート装置１を水路Ａに据え付ける場合には、先ず工場内にて、一対の溝付支柱５と底板６とから形成したゲート枠２に対し、ゲート扉３、及び油圧シリンダ４などを水密度を調整しながら取り付けていき、一体的に組み上げていく。そして、こうして組み上げたスライドゲート装置１をそのまま水路Ａ内に設置して据え付け作業を完了する。
【００１８】
このとき、油圧シリンダ４は水路Ａ内に配置されるゲート枠２の溝付支柱５の溝７内に収まるように備えているため、水路Ａ上方には突出することはなく、装置サイズをコンパクトに抑えることができ、スライドゲート装置１を据え付けた現場周囲の環境が大きく損なわれるようなことはない。また、装置構造もごくシンプルで、コストが抑えられる。更に、ゲート枠２とゲート扉３、及び油圧シリンダ４などを一体的に組み上げてなるユニット構造としているため、工場での組み上げ時に水密度などの調整が同時に行え、後はそのまま水路Ａ内に設置するだけで据え付けが完了するため、据え付け作業が非常に容易で短時間に終えることができる。
【図面の簡単な説明】
【００１９】
【図１】本発明に係るスライドゲート装置の一実施例を示す一部切り欠き正面図である。
【図２】図１のＢ−Ｂ断面図である。
【図３】本発明に係るスライドゲート装置の溝付支柱部の拡大断面図である。
【符号の説明】
【００２０】
１…スライドゲート装置              ２…ゲート枠
３…ゲート扉                        ４…油圧シリンダ
５…溝付支柱                        ６…底板
７…溝                              Ａ…水路
【図１】
2005213960.tif 000003
【図２】
2005213960.tif 000004
【図３】
2005213960.tif 000005